(57)【要約】【課題】流水検知装置を備えた予作動式消火設備において、流水検知装置の弁体が開動作する際に、直ちに給水ポンプによる給水が開始される様にする。【解決手段】火災時、スプリンクラヘッド5の作動による二次側配管3内の圧力の二次側監視圧からの減圧によって作動した二次側圧力スイッチ13からの減圧信号と、火災感知器6からの火災信号とに基づく制御盤7からの移報信号によって、給水本管1又は一次側配管2内の水を排出する電動弁16bが開かれ、それによる一次側配管2内の圧力の一次側監視圧からの減圧に基づき、給水本管1に接続された給水ポンプ14が起動され、それによる一次側配管2内の圧力の減圧された圧力からの増圧によって、一次側圧力スイッチ10が作動して増圧信号が制御盤7に送信されると共に、流水検知装置4の弁体25が開状態にされる様構成する。【選択図】図１
2010179016.tif 000002
【特許請求の範囲】
【請求項１】
給水本管から分岐されて設けられた一次側配管と、警戒区画に配置されて設けられた二次側配管と、該一次側配管と該二次側配管との間に設けられ、該一次側配管と連通する一次室及び該二次側配管と連通する二次室を有すると共に、該一次室から該二次室への通水口を開閉する弁体を有し、該一次室から該二次室への流水を検知する流水検知装置と、該二次側配管に設けられた複数のスプリンクラヘッドと、該警戒区画に配置されて設けられた火災感知器と、該火災感知器の火災信号及び該スプリンクラヘッドの作動による該二次側配管内の減圧信号を受信する制御盤とを備えた予作動式消火設備において、
該一次側配管に設けられ、該一次側配管内の圧力の増圧によって作動する第１圧力スイッチと、該二次側配管に設けられ、該二次側配管内の圧力の減圧によって作動する第２圧力スイッチとを更に備え、
監視時、該一次側配管内に封入されている水は該一次側配管内に圧力を供給する補助加圧ポンプにより一次側監視圧に保持され、該二次側配管内に封入されている水又は空気は二次側監視圧に保持され、該流水検知装置の該弁体は閉状態に保持され、該第１圧力スイッチ及び該第２圧力スイッチは作動していない様構成されており、
火災時、該スプリンクラヘッドの作動による該二次側配管内の圧力の該二次側監視圧からの減圧によって作動した該第２圧力スイッチからの減圧信号と、該火災感知器からの火災信号とを該制御盤が受信し、その受信に基づく該制御盤からの移報信号によって、該給水本管又は該一次側配管内の水又は空気を排出する起動弁が開かれ、それによる該一次側配管内の圧力の該一次側監視圧からの減圧に基づき、該給水本管に接続された給水ポンプが起動され、それによる該一次側配管内の圧力の該減圧された圧力からの増圧によって、該第１圧力スイッチが作動して増圧信号が該制御盤に送信されると共に、該流水検知装置の該弁体が開状態にされる様構成されていることを特徴とする予作動式消火設備。
【請求項２】
給水本管から分岐されて設けられた一次側配管と、警戒区画に配置されて設けられた二次側配管と、該一次側配管と該二次側配管との間に設けられ、該一次側配管と連通する一次室及び該二次側配管と連通する二次室を有すると共に、該一次室から該二次室への通水口を開閉する弁体を有し、該一次室から該二次室への流水を検知する流水検知装置と、該二次側配管に設けられた複数のスプリンクラヘッドと、該警戒区画に配置されて設けられた火災感知器と、該火災感知器の火災信号及び該スプリンクラヘッドの作動による該二次側配管内の減圧信号を受信する制御盤とを備えた予作動式消火設備において、
該一次側配管に設けられ、該一次側配管内の圧力の増圧によって作動する第１圧力スイッチと、該二次側配管に設けられ、該二次側配管内の圧力の減圧によって作動する第２圧力スイッチとを更に備え、
監視時、該一次側配管内に封入されている水は該一次側配管内に圧力を供給する補助加圧ポンプにより一次側監視圧に保持され、該二次側配管内に封入されている水は二次側監視圧に保持され、該流水検知装置の該弁体は閉状態に保持され、該第１圧力スイッチ及び該第２圧力スイッチは作動していない様構成されており、
火災時、該スプリンクラヘッドの作動による該二次側配管内の圧力の該二次側監視圧からの減圧によって作動した該第２圧力スイッチからの減圧信号と、該火災感知器からの火災信号とを該制御盤が受信し、その受信に基づく該制御盤からの移報信号によって、該給水本管に接続された給水ポンプが起動され、それによる該一次側配管内の圧力の該一次側監視圧からの増圧によって、該第１圧力スイッチが作動して増圧信号が該制御盤に送信されると共に、該流水検知装置の該弁体が開状態にされる様構成されていることを特徴とする予作動式消火設備。
【発明の詳細な説明】
【技術分野】
【０００１】
この発明は、予作動式消火設備に関する。
【背景技術】
【０００２】
従来より、閉鎖型スプリンクラヘッドを用いた消火設備として、予作動式のものが知られている。
【０００３】
この予作動式消火設備は、常時は閉の開放弁の二次側配管にスプリンクラヘッドが設けられており、スプリンクラヘッドの作動だけでは、開放弁は開かずに、開放弁の一次側配管からの水がスプリンクラヘッドが設けられている二次側配管に供給されない様になっており、スプリンクラヘッドの誤作動による水損が生じ難い様になっている。
【０００４】
尚、予作動式消火設備には、スプリンクラヘッドが設けられる二次側配管に気体を充填した乾式のものと消火水を充填した湿式のものとがある。
【０００５】
又、予作動式消火設備において、開放弁は流水検知機能を併せて備えていることから、流水検知装置と称されることもある。
【０００６】
予作動式消火設備は、火災時に起動し、水源からの消火水を一次側配管及び二次側配管に供給するための給水ポンプを一次側配管の上流側に備えているが、従来の予作動式消火設備において、この給水ポンプの起動は、例えば特開２００７−２４４７３５号公報（特許文献１）に記載の設備の様に、火災時、流水検知装置（開放弁）の弁体が開動作して、一次側配管から二次側配管に消火水が流れ、それによる一次側配管内の圧力低下を圧力検出器で検出し、その検出信号に基づいて行われている。
【先行技術文献】
【特許文献】
【０００７】
【特許文献１】特開２００７−２４４７３５号公報
【発明の概要】
【発明が解決しようとする課題】
【０００８】
従来の予作動式消火設備においては、前記の様に、流水検知装置の弁体の開動作後、一次側配管内が減圧してから、給水ポンプが起動される様になっており、流水検知装置の弁体が開動作する時点では、給水ポンプは未だ起動状態にない。即ち、従来の予作動式消火設備においては、流水検知装置の弁体が開動作する際に、直ちに給水ポンプによる給水が開始される様にはなっていない。
【０００９】
この発明は、前記の事情に鑑み、流水検知装置を備えた湿式予作動式消火設備において、流水検知装置の弁体が開動作する際に、直ちに給水ポンプによる給水が開始される様にすることを目的とする。
【課題を解決するための手段】
【００１０】
この発明は、給水本管から分岐されて設けられた一次側配管と、警戒区画に配置されて設けられた二次側配管と、該一次側配管と該二次側配管との間に設けられ、該一次側配管と連通する一次室及び該二次側配管と連通する二次室を有すると共に、該一次室から該二次室への通水口を開閉する弁体を有し、該一次室から該二次室への流水を検知する流水検知装置と、該二次側配管に設けられた複数のスプリンクラヘッドと、該警戒区画に配置されて設けられた火災感知器と、該火災感知器の火災信号及び該スプリンクラヘッドの作動による該二次側配管内の減圧信号を受信する制御盤とを備えた予作動式消火設備において、該一次側配管に設けられ、該一次側配管内の圧力の増圧によって作動する第１圧力スイッチと、該二次側配管に設けられ、該二次側配管内の圧力の減圧によって作動する第２圧力スイッチとを更に備え、監視時、該一次側配管内に封入されている水は該一次側配管内に圧力を供給する補助加圧ポンプにより一次側監視圧に保持され、該二次側配管内に封入されている水又は空気は二次側監視圧に保持され、該流水検知装置の該弁体は閉状態に保持され、該第１圧力スイッチ及び該第２圧力スイッチは作動していない様構成されており、火災時、該スプリンクラヘッドの作動による該二次側配管内の圧力の該二次側監視圧からの減圧によって作動した該第２圧力スイッチからの減圧信号と、該火災感知器からの火災信号とを該制御盤が受信し、その受信に基づく該制御盤からの移報信号によって、該給水本管又は該一次側配管内の水又は空気を排出する起動弁が開かれ、それによる該一次側配管内の圧力の該一次側監視圧からの減圧に基づき、該給水本管に接続された給水ポンプが起動され、それによる該一次側配管内の圧力の該減圧された圧力からの増圧によって、該第１圧力スイッチが作動して増圧信号が該制御盤に送信されると共に、該流水検知装置の該弁体が開状態にされる様構成されていることを特徴とする予作動式消火設備、である。
【００１１】
又、この発明は、給水本管から分岐されて設けられた一次側配管と、警戒区画に配置されて設けられた二次側配管と、該一次側配管と該二次側配管との間に設けられ、該一次側配管と連通する一次室及び該二次側配管と連通する二次室を有すると共に、該一次室から該二次室への通水口を開閉する弁体を有し、該一次室から該二次室への流水を検知する流水検知装置と、該二次側配管に設けられた複数のスプリンクラヘッドと、該警戒区画に配置されて設けられた火災感知器と、該火災感知器の火災信号及び該スプリンクラヘッドの作動による該二次側配管内の減圧信号を受信する制御盤とを備えた予作動式消火設備において、該一次側配管に設けられ、該一次側配管内の圧力の増圧によって作動する第１圧力スイッチと、該二次側配管に設けられ、該二次側配管内の圧力の減圧によって作動する第２圧力スイッチとを更に備え、監視時、該一次側配管内に封入されている水は該一次側配管内に圧力を供給する補助加圧ポンプにより一次側監視圧に保持され、該二次側配管内に封入されている水又は空気は二次側監視圧に保持され、該流水検知装置の該弁体は閉状態に保持され、該第１圧力スイッチ及び該第２圧力スイッチは作動していない様構成されており、火災時、該スプリンクラヘッドの作動による該二次側配管内の圧力の該二次側監視圧からの減圧によって作動した該第２圧力スイッチからの減圧信号と、該火災感知器からの火災信号とを該制御盤が受信し、その受信に基づく該制御盤からの移報信号によって、該給水本管に接続された給水ポンプが起動され、それによる該一次側配管内の圧力の該一次側監視圧からの増圧によって、該第１圧力スイッチが作動して増圧信号が該制御盤に送信されると共に、該流水検知装置の該弁体が開状態にされる様構成されていることを特徴とする予作動式消火設備、である。
【発明の効果】
【００１２】
この発明においては、前記の通り、給水ポンプは流水検知装置の弁体が開動作する時点で既に起動状態になっている様構成されている。即ち、この発明においては、流水検知装置の弁体が開動作するのに連続して、給水ポンプによる給水が開始される様構成されている。
【００１３】
従って、この発明によれば、流水検知装置を備えた予作動式消火設備において、流水検知装置の弁体が開動作する際に、直ちに給水ポンプによる給水が開始される様にすることができる。
【図面の簡単な説明】
【００１４】
【図１】この発明の予作動式消火設備のシステム系統図である。
【図２】同上の予作動式消火設備が備える流水検知装置部分の略図であって、監視時、流水検知装置の非作動時（弁体閉鎖時）の状態を示したものである。
【図３】同上の略図であって、スプリンクラヘッド作動時の状態を示したものである。
【図４】同上の略図であって、スプリンクラヘッド及び給水ポンプ作動時の状態を示したものである。
【図５】同上の略図であって、火災時、流水検知装置の作動時（弁体開放時）の状態を示したものである。
【発明を実施するための形態】
【００１５】
この発明の実施の形態を図１乃至５に基づき説明する。
【００１６】
図１において、予作動式消火設備Ｓは、給水本管１から分岐されて設けられた一次側配管２と、警戒区画に配置されて設けられた二次側配管３と、一次側配管２と二次側配管３との間に設けられ、一次側配管２から二次側配管３への流水を検知する流水検知装置４と、二次側配管３に設けられた複数のスプリンクラヘッド５と、警戒区画に配置されて設けられた火災感知器６と、火災感知器６の火災信号やスプリンクラヘッド５の作動による二次側配管３内の圧力低下信号を受信する主制御盤７（例えば中継器１９を介して火災信号等を受信する所謂Ｒ型の火災受信機である。尚、この発明は所謂Ｐ型の火災受信機を備えた設備への適用も可能である。）等を備え、常時は二次側配管３内に水が充填されるものとなっており、即ち湿式の設備となっている（ここで、この発明は湿式の予作動式消火設備への適用が好適ではあるが、乾式の予作動式消火設備への適用も可能である。）。尚、図中、１４は給水本管１に設けられ、モータＭで駆動されて、水を一次側配管２に供給するための給水ポンプ、１５は給水ポンプ１４を制御するためのポンプ用制御盤、１６は給水本管１に設けられ、給水ポンプ１４駆動時において給水本管１に接続される一次側配管２内を所定圧に増圧するための圧力タンクであって、起動弁の一例である常時は閉の電動弁１６ｂを有する排出機構１６ａを備えた圧力タンク、１７は圧力タンク１６の電動弁１６ｂを制御するための電動弁用制御盤、１８は圧力タンク１６と給水本管１との間の管路中に設けられ、その管路内、つまりは給水本管１及びそれに接続される一次側配管２内の圧力の所定圧への減圧で作動する圧力スイッチ、３９は手動復旧等を行うメンテナンス用制御弁、４０は常時において給水本管に接続され、一次側配管２内を一次側監視圧に保持する補助加圧ポンプである。
【００１７】
流水検知装置４は、その本体２０内が一次側配管２に連通する一次室２１と二次側配管３に連通する二次室２２とに隔壁２３により仕切られており、その隔壁２３に一次室２１と二次室２２とを連通させる通水口２４を備えている。更に、流水検知装置４内には通水口２４を開閉する常時は閉の弁機構が構成されており、その弁機構は二次室２２内に設けられた弁体２５と、弁体２５の背面から二次室２２側に起立し、弁体２５を二次室２２内で往復移動させるロッド２６と、ロッド２６を移動可能に支持するシリンダ部２７等から構成されている。
【００１８】
シリンダ部２７はその内部を第１隔室２８と第２隔室２９とに仕切る隔壁３０を有すると共に、第１隔室２８内を第１ピストン室３１と第１中間室３２とに仕切り、第１隔室２８内を摺動可能な第１ピストン３３と、第２隔室２９内を第２ピストン室３４と第２中間室３５とに仕切り、第２隔室２９内を摺動可能な第２ピストン３６とを有している。又、シリンダ部２７は本体２０における通水口２４と二次室２２を介して対向する位置より外方に立設され、二次室２２に隣接している。ロッド２６は二次室２２から本体２０の外壁（本実施の形態においてはシリンダ部２７を画定する壁の一部をなすものでもある。）を水密に貫通し、更にシリンダ部２７の隔壁３０及び天壁３７とを水密に貫通して設けられており、そしてロッド２６はそれが貫通する本体２０の外壁、シリンダ部２７の隔壁３０及び天壁３７により往復移動可能に支持されている。このロッド２６に第１ピストン３３と第２ピストン３６は何れも固定されており、ロッド２６の往復移動と共に第１ピストン３３と第２ピストン３６は第１隔室２８内と第２隔室２９内をそれぞれ摺動可能となっている。尚、ロッド２６の所定位置への移動を検出するセンサの一例としてのリミットスイッチ３８が、シリンダ部２７の天壁３７からその外部へ露出するロッド２６の露出端２６ａの移動軌跡上に設けられており、このリミットスイッチ３８によって、露出端２６ａの所定位置への移動を以って、弁体２５が開状態になり、水が一次室２１から二次室２２へ流れる状態への変化が検出され、それがリミットスイッチ３８から流水信号として出力される様になっている。
【００１９】
一次側配管２は２本の分岐管８ａ、８ｂを有する一次側枝管８を含んでおり、一次側枝管８の一方の分岐管８ａにより第１ピストン室３１が一次側枝管８、即ち一次側配管２と接続され、一次側枝管８のもう一方の分岐管８ｂにより第１中間室３２が一次側枝管８、即ち一次側配管２に接続されているが、第１ピストン室３１を一次側枝管８に接続する分岐管８ａには管内の圧力の所定圧への増圧、つまりは一次側配管２内の圧力の所定圧への増圧で開動作する第１制御弁９が管路中に設けられている。即ち、第１ピストン室３１は一次側枝管８により一次側配管２内の圧力の所定圧への増圧で開動作する常時は閉の第１制御弁９を介して一次側配管２に接続され、第１中間室３２は一次側枝管８により直接一次側配管２に接続されている。これにより、第１ピストン室３１内は常時は一次側配管２内の水は導入されずに大気圧の空間として保持されているが、第１制御弁９が開動作すると、一次側配管２内の水が導入されて充水状態になる様になっており、又第１中間室３２内は常に一次側配管２内の水が導入されて充水状態に保持される様になっている（第１ピストン３３の移動によってその体積は変化する。）。
【００２０】
そして、第１制御弁９が設けられている分岐管８ａに、第１制御弁９と第１ピストン室３１との間に管内の圧力の所定圧への増圧で作動する第１圧力スイッチの一例である一次側圧力スイッチ１０が設けられている。
【００２１】
二次側配管３は二次側枝管１１を含んでおり、二次側枝管１１は第２ピストン室３４に接続され、二次側枝管１１により第２ピストン室３４は二次側配管３と接続されているが、二次側枝管１１には管内の圧力の所定圧への減圧、つまりは二次側配管３内の圧力の所定圧への減圧で開動作する常時は閉の第２制御弁１２が設けられている。即ち、第２ピストン室３４は二次側枝管１１により二次側配管３内の圧力の所定圧への減圧で開動作する常時は閉の第２制御弁１２を介して二次側配管３に接続されている。湿式であるこの設備においては二次側配管３内には予め水が導入され、二次側配管３内は閉鎖型スプリンクラヘッド５の閉鎖機能により常時は充水状態に保持される様になっているが、第２ピストン室３４内にも予め水が導入され、第２制御弁１２の閉鎖機能により常時は充水状態に保持される様になっている。第２制御弁１２が開動作すると、第２ピストン室３４内の水は二次側配管３内へ流出するか、又は第２制御弁１２が備えているその開動作で管内の水を排出する排水機構１２ａから外部へ排水される様になっている。一方、第２中間室３５は外部とは何等接続されておらず、閉鎖された空間として常に大気圧に保持される様になっている。
【００２２】
そして、第２制御弁１２が設けられている二次側枝管１１にはその二次側に管内の圧力の所定圧への減圧で作動する第２圧力スイッチの一例としての二次側圧力スイッチ１３が設けられている。
【００２３】
尚、シリンダ部２７において、第１隔室２８と第２隔室２９は二次室２２に近い側から第１隔室２８、第２隔室２９の順で配置されており、又、第１隔室２８内において、第１ピストン室３１と第１中間室３２は二次室２２に近い側から第１ピストン室３１、第１中間室３２の順で配置されており、又第２隔室２９内において、第２ピストン室３４と第２中間室３５は、二次室２２に近い側から第２中間室３５、第２ピストン室３４の順で配置されている。尚、シリンダ部２７における第１隔室２８と第２隔室２９の配置は二次室に近い側から第２隔室２９、第１隔室２８の順とすることもできる。
【００２４】
予作動式消火設備Ｓは、前記の様に構成され、監視時、火災時においてそれぞれ次の通り動作する様になっている。
【００２５】
[監視時]
監視時、一次側配管２内及びシリンダ部２７における第１中間室３１内に充填されている水は、一次側配管２に圧力を供給する補助加圧ポンプ４０によって一次側監視圧に保持され、第１制御弁９は動作せずに閉状態に保持されており、図２に示される様に、シリンダ部２７において、第１ピストン室３１内には一次側配管２内の水は導入されずに、第１ピストン室３１内は大気圧の空間として保持され、一方、二次側配管３内に充填されている水は二次側監視圧に保持され、第２制御弁１２は作動せずに閉状態に保持されており、図２に示される様に、シリンダ部２７において、第２ピストン室３４内に予め導入されている水は排出されずに、第２ピストン室３４内は充水状態に保持され、閉鎖空間である第２中間室３５内は常に大気圧に保持されている。従って、監視時においては、一次側圧力スイッチ１０及び二次側圧力スイッチ１３は作動していない状態にあり、シリンダ部２７において、第１ピストン３３には第１中間室３２内の充水圧力が作用する共に、第２ピストン３６には第２ピストン室３４内の充水圧力が作用しており、流水検知装置４における弁体２５は第１ピストン３３及び第２ピストン３６によりロッド２６を介して閉方向に押圧されて閉状態が保持される様になっている。
【００２６】
尚、監視状態からスプリンクラヘッド５のみが作動し場合は、二次側配管３内及び二次室２２内の水はスプリンクラヘッド５から放水され、二次側配管３内の圧力が所定圧へ減圧されることで、第２制御弁１２が開動作し、第２ピストン室３４内の水が第２制御弁１２の排水機構１２ａから排水され、図３に示される様に、二次室２２内、第２ピストン室３４内及び二次側配管３内は空の状態になる様になっている。尚、このとき、二次側配管３内の圧力の所定圧への減圧は二次側枝管１１に設けられている二次側圧力スイッチ１３により検出され、二次側配管３内の減圧信号として中継器１９を介して主制御盤７に送信されるものの、火災感知器６は作動していないので、火災信号は主制御盤７には送信されておらず、減圧信号と火災信号の両方の受信により移報信号を送信する様設定されている主制御盤７からは移報信号は送信されないので、圧力タンク１６の排出機構１６ａにおける電動弁１６ｂも作動せず、閉状態が保持され、給水ポンプ１５も起動されず、一次側配管２内は一次側監視圧に保持され、そして、第１制御弁９も作動せず、閉状態が保持され、一次側配管２内の水は第１ピストン室３１に導入されず、第１ピストン室３１内は空の状態が保持され、弁体２５の閉方向への押圧力は第１中間室３２内の充水圧力のみにはなるものの、その押圧力により弁体２５は閉状態に保持される様になっている。従って、監視状態において、例えば誤作動によりスプリンクラヘッド５が作動してしまったとしても、二次室２２内、第２ピストン室３４内、二次側配管３内の水はスプリンクラヘッド５から放水されてしまうものの、更に水がスプリンクラヘッド５から放水されることはなく、水損を少なくできる様になっている。
【００２７】
[火災時]
火災時、スプリンクラヘッド５が作動すると、前記の様に、二次室２２内、第２ピストン室３４内及び二次側配管３内は図３に示される無圧の状態となり、又二次側配管３内の減圧信号が中継器１９を介して主制御盤７に送信され、そして、火災感知器６が作動すると、火災信号が主制御盤７に送信される。二次側減圧信号と火災信号の両方の受信により、それに基づく移報信号が主制御盤７から電動弁用制御盤１７に送信され、それにより圧力タンク１６の排出機構１６ａにおける電動弁１６ｂが開動作し、圧力タンク１６から給水本管１及び一次側配管２内へ供給される圧力が排出機構１６ａより排圧されて、一次側配管２内の圧力が一次側監視圧より所定の圧力へ減圧されると、圧力スイッチ１８の作動信号がポンプ用制御盤１５に送信され、それにより給水ポンプ１４が起動し、給水源からの水が給水本管１及び一次側配管２に供給されて、一次側配管２内の圧力が所定の圧力へ増圧されると、第１制御弁９が開動作し、図４に示される様に、一次側配管２内の水が第１ピストン室３１内に導入され、第１ピストン室３１内が充水状態となり、更に、一次側配管２内の所定の圧力への増圧が一次側圧力スイッチ１０により検出され、一次側配管２内の増圧信号として中継器１９を介して主制御盤７に送信されると共に、図５に示される様に、第１ピストン室３１の充水圧力の第１ピストン３３への作用によりロッド２６を介して弁体２５が開方向に移動され、弁体２５が開状態となり、これにより、一次室２１から二次室２２へ水が流れて流水状態、即ち一次側配管２から二次側配管３へ水が流れる状態となり、給水源からの水が連続的にスプリンクラヘッド５から放水され、火災の消火ができる様になっており、又、弁体２５が開状態になるときのロッド２６の露出端２６ａの移動がリミットスイッチ３８により検出され、その作動信号が流水信号として中継器１９を介して主制御盤７に送信される様になっている。
【００２８】
尚、図５に示される様に、弁体２５が開放して流水状態になったときに、二次側配管３から二次側枝管１１に水が逆流しても第２制御弁１２の排水機構１２ａから排水されるため、第２ピストン室３４内が加圧されることはない。従って、本実施の形態においては、一次側配管２内の圧力は、一次側監視圧より十分減圧されてから増圧されるので、後述する主制御盤７から直接ポンプ制御盤１５に移報信号を出力する場合と比較して、一次側圧力スイッチ１０を作動し易く設定できる。又、流水信号の他に、一次側圧力スイッチ１０の増圧信号及び二次側圧力スイッチ１３の減圧信号を得ることにより、流水検知装置４の状態を詳細に把握できる。更に、本実施の形態においては、前記の様に、ポンプ用制御盤１５が圧力スイッチ１８からの一次側配管２内の減圧信号を受信することで、給水ポンプ１４が起動される様にしているが、それに代えて、ポンプ用制御盤１５が主制御盤７からの移報信号を受信するだけで給水ポンプ１４が起動される様にしてもよい。
【００２９】
予作動式消火設備Ｓにおいては、前記の様に、火災時、二次側配管３内の減圧信号（スプリンクラヘッド５の作動による）と火災信号（火災感知器６の作動による）を受信した主制御盤７からの移報信号によって、直接、或いは圧力タンク１６の排出機構１６ａの電動弁１６ｂの作動による一次側配管２内の減圧信号を介して、ポンプ用制御盤１５が給水ポンプ１４を起動する様構成され、そして、給水ポンプ１４の起動による一次側配管２内の所定圧への増圧によって、一次側圧力スイッチ１０がその検出作動をすると共に、第１制御弁９が開動作し、それにより流水検知装置４の弁体２５が開動作する様構成されている。
【００３０】
即ち、予作動式消火設備Ｓにおいては、流水検知装置４の弁体２５が開動作する時点で、給水ポンプ１４は既に起動状態にあり、流水検知装置４の弁体２５が開動作するのに連続して、給水ポンプ１４による水源から給水本管１、一次側配管２及び二次側配管３への給水が開始される構成となっている。
【００３１】
従って、予作動式消火設備Ｓによれば、流水検知装置４の弁体２５が開動作する際に、その動作に連続して、給水ポンプ１４による給水が直ちに開始され、水源から給水本管１、一次側配管２及び二次側配管３等の配管への給水に遅れが生じることがない。
【００３２】
又、前記に関連し、予作動式消火設備Ｓにおいては、前記の通り、流水検知装置４の弁体２５が開動作する時点で、流水検知装置４の上流の配管、即ち給水本管１及び一次側配管２は給水ポンプ１４の起動によって既に増圧された状態にある。即ち、一次側配管２から二次側配管３への通水の当初から、スプリンクラヘッド５からの好適な放水圧力が得られる様な圧力で、一次側配管２から二次側配管３へ通水させる様にすることもできる。そして、警戒区域ごとに必用な給水圧力は保持されるように設定されている。
【００３３】
更に、予作動式消火設備Ｓについて述べる。
【００３４】
ここで、従来の予作動式消火設備においては、火災時の流水検知装置の弁体の開放動作は、例えば前記特許文献１に記載の設備の様に、火災感知器による火災感知動作に基づき（圧力検出器による二次側配管内の減圧検出動作に基づくものもある。）、制御部を介して電動弁を開動作させることで、流水検知装置における弁体の制御室内の水を流出させて、圧力を減圧し、それにより弁体を開動作させることで行われており、流水検知装置の弁体の動作を制御するために、高価な電動弁が必要であり、又その電動弁を制御するための専用の制御部及び信号線も必要な構成となっている。このため、従来の予作動式消火設備はその設備費が高いものとなっている。
【００３５】
本発明における予作動式消火設備Ｓは前記の通り構成され、流水検知装置４の弁体２５の開閉動作は第１制御弁９及び第２制御弁１２によって制御される様になっており、即ち電動弁によらずに制御される様になっている。
【００３６】
従って、予作動式消火設備Ｓによれば、従来例においては流水検知装置ごとに必要であった流水検知装置の弁体を制御するための電動弁及びその電動弁専用の制御部や信号線を設備中に備える必要をなくすることができ、その代わりの電動弁や電動弁用制御盤は各１台ずつでよいために、さらに流水検知装置の第１制御弁や第２制御弁の機器コスト増加分を考慮しても、従来例に比して設備費を安くすることができる。
【００３７】
尚、図２乃至５においては、流水検知装置４の弁体の開閉動作は、第１制御弁９と第２制御弁１２によって制御されるようになっているが、必ずしもこれらを備える流水検知装置を使用しなくてもよい。即ち、一次側配管２内の一次側監視圧からの増圧により弁体を開放する流水検知装置であればよい。この場合、一次側圧力スイッチ１０は一次側配管２上に、二次側圧力スイッチ１３は二次側配管３上に、それぞれ配置する（図示省略）。
【００３８】
更に、予作動式消火設備Ｓにおいては、乾式としても同様の効果が得られる。
【符号の説明】
【００３９】
Ｓ      予作動式消火設備            １      給水本管
２      一次側配管                  ３      二次側配管
４      流水検知装置                ５      スプリンクラヘッド
６      火災感知器                  ７      主制御盤
８      一次側枝管                  ８ａ    分岐管
８ｂ    分岐管                      ９      第１制御弁
１０    一次側圧力スイッチ          １１    二次側枝管
１２    第２制御弁                  １２ａ  排水機構
１３    二次側圧力スイッチ          １４    給水ポンプ
１５    ポンプ用制御盤              １６    圧力タンク
１６ａ  排出機構                    １６ｂ  電動弁
１７    電動弁用制御盤              １８    圧力スイッチ
１９    中継器                      ２０    本体
２１    一次室                      ２２    二次室
２３    隔壁                        ２４    通水口
２５    弁体                        ２６    ロッド
２６ａ  露出端                      ２７    シリンダ部
２８    第１隔室                    ２９    第２隔室
３０    隔壁                        ３１    第１ピストン室
３２    第１中間室                  ３３    第１ピストン
３４    第２ピストン室              ３５    第２中間室
３６    第２ピストン                ３７    天壁
３８    リミットスイッチ            ３９    メンテナンス用制御弁
４０    補助加圧ポンプ
【図１】
2010179016.tif 000003
【図２】
2010179016.tif 000004
【図３】
2010179016.tif 000005
【図４】
2010179016.tif 000006
【図５】
2010179016.tif 000007